(57)【要約】【課題】簡単に配線の容量を把握することができる配線容量表示システムを提供する。【解決手段】配線容量表示システムは、コンセント３と、コンセント３の前面を覆うように設置され、少なくとも前面の周縁部４１に、面発光することにより色表示可能な表示部２５が形成されたコンセントカバー４と、コンセント３に電力を供給する配線に流れる電流値を計測する電流計測部１５と、配線の定格電流値に対する電流計測部１５が計測する計測電流値の割合に応じて発光するように、表示部２５を制御する表示制御部２４とを備える。【選択図】図１
2015076912.tif 000002
【特許請求の範囲】
【請求項１】
コンセントと、
前記コンセントの前面を覆うように設置され、少なくとも前面の周縁部に、面発光することにより色表示可能な表示部が形成されたコンセントカバーと、
前記コンセントに電力を供給する配線に流れる電流値を計測する電流計測部と、
前記配線の定格電流値に対する前記電流計測部が計測する計測電流値の割合に応じて発光するように、前記表示部を制御する表示制御部と
を備えることを特徴とする配線容量表示システム。
【請求項２】
前記表示制御部は、前記割合が所定値を超えた場合に、前記表示部の視認性が高くなるように、前記表示部を制御することを特徴とする請求項１に記載の配線容量表示システム。
【請求項３】
前記表示制御部は、前記割合に応じて変色するように、前記表示部を制御することを特徴とする請求項１または２に記載の配線容量表示システム。
【請求項４】
前記表示制御部は、前記割合に応じて発光する面積が変化するように、前記表示部を制御することを特徴とする請求項１または２に記載の配線容量表示システム。
【請求項５】
一次側が電源に接続された主幹ブレーカと、
一次側が前記主幹ブレーカの二次側にそれぞれ接続された複数の分岐ブレーカと
を更に備え、
前記複数の分岐ブレーカのうち少なくとも一つは、二次側が前記コンセントに接続され、
前記電流計測部は、前記主幹ブレーカを流れる電流、前記コンセントに接続された分岐ブレーカを流れる電流のうち、少なくともいずれかを更に計測することを特徴とする請求項１〜４のいずれか１項に記載の配線容量表示システム。
【発明の詳細な説明】
【技術分野】
【０００１】
本発明は、配線の容量を表示する配線容量表示システムに関する。
【背景技術】
【０００２】
一般に、家庭内における分電盤は、それぞれブレーカが接続された複数の系統を有している。例えば、電子レンジや空調装置等の消費電力が大きな機器が一つの系統に接続されている状態で、他の機器のプラグを同じ系統のコンセントに差し込んで使用すると、ブレーカの上限の電流値を超え、その系統の給電が遮断されてしまう恐れがある。突然給電が遮断されると、機器によっては思わぬ影響が生じる場合がある。これを回避するためには、分電盤の系統毎に、どのような家電が接続され、消費電流がいくらか計算して、余力があるかどうかを判断する必要があるが、一般家庭において接続された機器及び消費電力の把握は困難である。
【０００３】
一方、特許文献１には、供給する電流を測定し、測定結果を送信する電力管理機能付きコンセントが提案されている。このコンセントは、測定結果に応じて発光するＬＥＤを備え、化粧パネルの裏面からの発光やコンセントの隙間から光漏れによりユーザに視認させる。また、特許文献２には、分電盤の負荷電流の状態を、点灯するＬＥＤの数により表示する電気接続装置が提案されている。
【先行技術文献】
【特許文献】
【０００４】
【特許文献１】特開２０１２−２３４７５２号公報
【特許文献２】特開平０３−２５７３７７号公報
【発明の概要】
【発明が解決しようとする課題】
【０００５】
しかしながら、特許文献１の技術は、照明や日光等により室内が明るい場合、ユーザが化粧パネルの裏面からの発光やコンセントの隙間から光漏れにより発光状態を認識することが困難な可能性がある。特許文献２の技術は、点灯するＬＥＤの数により負荷電流の状態を表示するため、定格電流に対して配線の容量がどの程度なのか、離れたところから一見して把握することが困難である。また、特許文献１及び２の技術は、使用中の機器の消費電流が変化した場合、負荷電流が変化したコンセントを見つけにくく、対応が困難な可能性がある。
本発明は、上記問題点を鑑み、簡単に配線の容量を把握することができる配線容量表示システムを提供することを目的とする。
【課題を解決するための手段】
【０００６】
上記目的を達成するために、本発明の第１の態様は、コンセントと、コンセントの前面を覆うように設置され、少なくとも前面の周縁部に、面発光することにより色表示可能な表示部が形成されたコンセントカバーと、コンセントに電力を供給する配線に流れる電流値を計測する電流計測部と、配線の定格電流値に対する電流計測部が計測する計測電流値の割合に応じて発光するように、表示部を制御する表示制御部とを備える配線容量表示システムであることを要旨する。
【０００７】
また、本発明の第２の態様に係る配線容量表示システムは、第１の態様に係る配線容量表示システムにおいて、表示制御部が、割合が所定値を超えた場合に、表示部の視認性が高くなるように、表示部を制御することを特徴とする。
【０００８】
また、本発明の第３の態様に係る配線容量表示システムは、第１又は第２の態様に係る配線容量表示システムにおいて、表示制御部が、割合に応じて変色するように、表示部を制御することを特徴とする。
【０００９】
また、本発明の第４の態様に係る配線容量表示システムは、第１又は第２の態様に係る配線容量表示システムにおいて、表示制御部が、割合に応じて発光する面積が変化するように、表示部を制御することを特徴とする。
【００１０】
また、本発明の第５の態様に係る配線容量表示システムは、第１〜第４のいずれかの態様に係る配線容量表示システムにおいて、一次側が電源に接続された主幹ブレーカと、一次側が主幹ブレーカの二次側にそれぞれ接続された複数の分岐ブレーカとを更に備え、複数の分岐ブレーカのうち少なくとも一つは、二次側がコンセントに接続され、電流計測部は、主幹ブレーカを流れる電流、コンセントに接続された分岐ブレーカを流れる電流のうち、少なくともいずれかを更に計測することを特徴とする。
【発明の効果】
【００１１】
本発明によれば、簡単に配線の容量を把握することができる配線容量表示システムを提供することができる。
【図面の簡単な説明】
【００１２】
【図１】本発明の第１実施形態に係る配線容量表示システムの基本的な構成を説明する模式的なブロック図である。
【図２】本発明の第１実施形態に係る配線容量表示システムが備える電流計測装置を説明するブロック図である。
【図３】本発明の第１実施形態に係る配線容量表示システムが備える情報表示装置を説明するブロック図である。
【図４】本発明の第１実施形態に係る配線容量表示システムが備える表示部の動作の一例を説明する図である。
【図５】本発明の第１実施形態に係る配線容量表示システムが備える表示部の動作の一例を説明する図である。
【図６】本発明の第１実施形態に係る配線容量表示システムが備える表示部の動作の一例を説明する図である。
【図７】本発明の第２実施形態に係る配線容量表示システムの基本的な構成を説明する模式的なブロック図である。
【図８】本発明の第３実施形態に係る配線容量表示システムの基本的な構成を説明する模式的なブロックである。
【図９】本発明のその他の実施形態に係る配線容量表示システムが備えるコンセントカバーを説明する斜視図である。
【発明を実施するための形態】
【００１３】
次に、図面を参照して、本発明の第１〜第３実施形態を説明する。以下の図面の記載において、同一又は類似の部分には同一又は類似の符号を付し、重複する説明を省略している。また、以下に示す実施形態は、本発明の技術的思想を具体化するための装置や方法を例示するものであって、下記の実施形態に例示した装置や方法に構成を特定するものでない。本発明の技術的思想は、特許請求の範囲に記載された技術的範囲内において、種々の変更を加えることができる。
【００１４】
（第１実施形態）
本発明の第１実施形態に係る配線容量表示システムは、図１に示すように、電流計測装置１と、情報表示装置２と、コンセント３と、コンセントカバー４と、分電盤５と、機器６ａ〜６ｃとを備える。
【００１５】
分電盤５は、一次側が電源に接続された主幹ブレーカ５１と、一次側が主幹ブレーカ５１の二次側にそれぞれ接続された複数の分岐ブレーカ５２ａ〜５２ｃとを備える。主幹ブレーカ５１は、電源に接続された配線Ｑ（図示省略）の間に直列に接続される。配線Ｑは、主幹ブレーカ５１と分岐ブレーカ５２ａ〜５２ｃとの間で、複数の配線Ｑａ〜Ｑｃに分岐する。分岐ブレーカ５２ａ〜５２ｃは、それぞれ、配線Ｑａ〜Ｑｃの間に直列に接続される。
【００１６】
主幹ブレーカ５１は、流れる電流が、主幹ブレーカ５１の定格電流を超えた場合に、一次側と二次側との間で配線Ｑを遮断する。分岐ブレーカ５２ａ〜５２ｃは、それぞれ、流れる電流の電流値が、分岐ブレーカ５２ａ〜５２ｃの各定格電流値を超えた場合に、一次側と二次側との間で配線Ｑａ〜Ｑｃを遮断する。
【００１７】
コンセント３は、例えば分岐ブレーカ５２ａの二次側に接続された配線Ｑａに接続され、配線Ｑａから電力を供給される。コンセント３は、例えば、前面が壁面に沿うように壁に埋め込み可能な形状である。コンセント３は、前面の一部に、機器６ａ〜６ｃのプラグをそれぞれ差し込み可能な複数のプラグ受けを有し、プラグ受けから機器６ａ〜６ｃに給電する。
【００１８】
機器６ａ〜６ｃ（以下、総称する場合において単に「機器６」という。）は、例えば、電子レンジ、暖房機、洗濯機等である。機器６は、プラグがコンセント３のプラグ受けに差し込まれて給電されることにより駆動可能となる。
【００１９】
電流計測装置１は、図２に示すように、通信部１１と、制御部１２と、電流情報送受信部１３と、電流情報収集部１４と、電流計測部１５とを備える。電流計測装置１は、例えばコンセント３に設置される。制御部１２は、通信部１１、電流情報送受信部１３、電流情報収集部１４及び電流計測部１５の駆動を制御する。通信部１１は、配線Ｑａ〜Ｑｃを介して外部と電力線通信を行う。
【００２０】
以下、第１実施形態において、一つのコンセント３が接続された配線Ｑａに関する構成について例示的に説明する。電流計測部１５は、分岐ブレーカ５２に対応する配線Ｑａに流れる電流を逐次計測する。
【００２１】
電流情報収集部１４は、電流計測部１５が計測した計測電流値を示す電流情報を逐次収集する。電流情報送受信部１３は、電流情報収集部１４が収集した電流情報を取得し、情報表示装置２に逐次送信する。電流情報送受信部１３は、情報表示装置２が電流情報を正しく受信できたか否かを示す応答を情報表示装置２から受信する。
【００２２】
情報表示装置２は、図３に示すように、通信部２１と、制御部２２と、電流情報送受信部２３と、表示制御部２４と、表示部２５と、電流使用率計算部２６とを備える。制御部２２は、通信部２１、電流情報送受信部２３、表示制御部２４、表示部２５及び電流使用率計算部２６の駆動を制御する。通信部２１は、配線Ｑａ〜Ｑｃを介して外部と電力線通信を行う。
【００２３】
電流情報送受信部２３は、電流情報送受信部１３が送信した電流情報を受信する。電流情報送受信部２３は、受信した電流情報を電流使用率計算部２６に出力する。電流情報送受信部２３は、電流情報を正しく受信できたか否かを示す応答を電流情報送受信部１３に送信する。
【００２４】
電流使用率計算部２６は、電流情報送受信部２３が出力した電流情報を入力し、電流計測部１５が計測した計測電流値を逐次取得する。電流使用率計算部２６は、図示を省略した入力装置に対するユーザの操作や外部装置からの入力により、分岐ブレーカ５２ａの定格電流値、即ち配線Ｑａの定格電流値を、予め取得して保持する。電流使用率計算部２６は、配線Ｑａの定格電流値に対する計測電流値の割合を、配線Ｑａの電流使用率Ｒとして逐次計算する。
【００２５】
表示部２５は、コンセントカバー４に形成される。表示部２５は、面発光することにより色表示可能である。表示部２５は、例えば、発光ダイオード（ＬＥＤ）、有機エレクトロルミネッセンス（有機ＥＬ）素子等からなる。表示部２５は、表示制御部２４により駆動を制御される。表示制御部２４は、電流使用率Ｒに応じて、表示部２５が発光するように表示部２５を逐次制御する。
【００２６】
コンセントカバー４は、図４に示すように、例えば概略として矩形平板状である。コンセントカバー４は、コンセント３の前面を覆うように、コンセント３に設置される。コンセントカバー４は、コンセント３の複数のプラグ受けが露出するように片面から他面に貫通する矩形状のプラグ受け部４０を有する。表示部２５は、少なくともコンセントカバー４の前面の周縁部４１に形成される。
【００２７】
表示制御部２４は、例えば、電流使用率Ｒが所定値Ｓを超えた場合に、表示部２５の視認性が高くなるように、表示部２５を制御する。所定値Ｓは、１００％以下の値であり、例えば９０％である。表示制御部２４は、例えば、電流使用率Ｒが所定値Ｓ以下の場合、表示部２５を消灯状態とし、電流使用率Ｒが所定値Ｓを超えた場合に、表示部２５を点灯、点滅、または明滅させる。
【００２８】
第１実施形態に係る配線容量表示システムによれば、コンセントカバー４の周縁部４１が電流使用率Ｒに応じて発光するので、ユーザが、電流使用率Ｒの上昇、即ち配線Ｑａの残り容量の低下を容易に把握することができる。
【００２９】
また、表示制御部２４は、図５に示すように、電流使用率Ｒに応じて変色するように、表示部２５を制御するようにしてもよい。表示制御部２４は、例えば、電流使用率Ｒが３０％以下の場合に青色、３０％を超え６０％以下の場合に橙色、６０％を超えた場合に赤色となるように、表示部２５を制御する。表示制御部２４が、電流使用率Ｒの上昇に応じて、例えば、寒色系で低彩度の後退色から暖色系で高彩度の進出色となるように表示部２５を制御することにより、ユーザは、電流使用率Ｒの上昇、即ち配線Ｑａの残り容量の低下を直感的に把握することができる。
【００３０】
また、表示制御部２４は、図６に示すように、電流使用率Ｒに応じて発光する面積が変化するように、表示部２５を制御するようにしてもよい。表示部２５は、例えば、下端を０％、上端を１００％として、電流使用率Ｒに応じて、下端から上端まで多段的に点灯することにより、電流使用率Ｒを示すインジケータとして機能する。表示制御部２４は、例えば、表示部２５下端から上端までの区間を３分割した領域Ｄ１，Ｄ２，Ｄ３毎に、青色、橙色、赤色となるように、表示部２５を制御する。表示制御部２４が、電流使用率Ｒを示すインジゲータとして表示部２５を動作させることにより、ユーザは、電流使用率Ｒの上昇、即ち配線Ｑａの残り容量の低下を一見して把握することができる。
【００３１】
（第２実施形態）
本発明の第２実施形態に係る配線容量表示システムは、図７に示すように、電流計測装置１がコンセント３に設置されず、電流計測装置１と同様の電流計測装置１ａ〜１ｃが分電盤５に設置される点において第１実施形態と異なる。第２実施形態において説明しない他の構成、作用及び効果は、第１実施形態と実質的に同様であるので重複する説明を省略する。
【００３２】
電流計測装置１ａ〜１ｃは、それぞれ、各分岐ブレーカ５２ａ〜５２ｃの配線Ｑａ〜Ｑｃにそれぞれ対応して設置される。以下、第２実施形態において、一つのコンセント３が接続された配線Ｑａ及び配線Ｑａに対応して設置された電流計測装置１ａに関する構成について例示的に説明する。電流計測部１５は、配線Ｑａに流れる電流を計測する。
【００３３】
電流情報収集部１４は、電流計測部１５が計測した計測電流値を示す電流情報を収集する。電流情報送受信部１３は、電流情報収集部１４が収集した電流情報を取得し、通信部１１を介して、電力線通信（ＰＬＣ）により配線Ｑａを搬送させて、情報表示装置２に送信する。電流情報送受信部１３は、情報表示装置２が電流情報を正しく受信できたか否かを示す応答を情報表示装置２から通信部１１を介して電力線通信により受信する。
【００３４】
電流情報送受信部２３は、電流情報送受信部１３が送信した電流情報を電力線通信により通信部２１を介して受信する。電流情報送受信部２３は、受信した電流情報を電流使用率計算部２６に出力する。電流情報送受信部２３は、電流情報を正しく受信できたか否かを示す応答を、通信部２１を介して電流情報送受信部１３に電力線通信により送信する。
【００３５】
電流使用率計算部２６は、電流情報送受信部２３が出力した電流情報を入力し、電流計測部１５が計測した計測電流値を取得する。電流使用率計算部２６は、配線Ｑａの定格電流値に対する計測電流値の割合を、配線Ｑａの電流使用率Ｒとして計算する。
【００３６】
表示部２５は、コンセントカバー４に形成される。表示部２５は、面発光することにより色表示可能である。表示制御部２４は、電流使用率Ｒに応じて、表示部２５が発光するように表示部２５を制御する。表示部２５は、少なくともコンセントカバー４の前面の周縁部４１に形成される。表示制御部２４は、例えば、電流使用率Ｒが所定値Ｓを超えた場合に、表示部２５の視認性が高くなるように、表示部２５を制御する。
【００３７】
第２実施形態に係る配線容量表示システムによれば、コンセントカバー４の周縁部４１が電流使用率Ｒに応じて発光するので、ユーザが、電流使用率Ｒの上昇、即ち配線Ｑａの残り容量の低下を容易に把握することができる。
【００３８】
また、第２実施形態に係る配線容量表示システムによれば、電流計測装置１ａ〜１ｃが、分電盤５の分岐ブレーカ５２ａ〜５２ｃにそれぞれ対応して設置されるので、分岐ブレーカ５２ａ〜５２ｃの定格電流値に応じた電流使用率Ｒを容易に把握できる。
【００３９】
（第３実施形態）
本発明の第３実施形態に係る配線容量表示システムは、図８に示すように、電流計測装置１と同様の電流計測装置１Ａを分電盤５に更に備える点において第１実施形態と異なる。第３実施形態において説明しない他の構成、作用及び効果は、第１実施形態と実質的に同様であるので重複する説明を省略する。
【００４０】
電流計測装置１Ａは、主幹ブレーカ５１の配線Ｑに対応して設置される。以下、第３実施形態において、電流計測装置１の電流計測部１５は、分岐ブレーカ５２ａの配線Ｑａに流れる電流を計測し、電流計測装置１Ａの電流計測部１５は、主幹ブレーカ５１の配線Ｑに流れる電流を計測する。
【００４１】
電流計測装置１の電流情報収集部１４は、電流計測部１５が計測した計測電流値を示す電流情報を収集する。電流情報送受信部１３は、電流情報収集部１４が収集した電流情報を取得し、情報表示装置２に送信する。電流情報送受信部１３は、情報表示装置２が電流情報を正しく受信できたか否かを示す応答を情報表示装置２から受信する。
【００４２】
一方、電流計測装置１Ａの電流情報収集部１４は、電流計測部１５が計測した計測電流値を示す電流情報を収集する。電流情報送受信部１３は、電流情報収集部１４が収集した電流情報を取得し、通信部１１を介して、電力線通信により配線Ｑ及び配線Ｑａを搬送させて、情報表示装置２に送信する。電流情報送受信部１３は、情報表示装置２が電流情報を正しく受信できたか否かを示す応答を情報表示装置２から通信部１１を介して電力線通信により受信する。
【００４３】
電流情報送受信部２３は、各電流情報送受信部１３が送信した電流情報を受信し、電流使用率計算部２６に出力する。電流使用率計算部２６は、電流情報送受信部２３が出力した電流情報を入力し、電流計測装置１及び１Ａが計測した計測電流値を取得する。
【００４４】
電流使用率計算部２６は、配線Ｑａの定格電流値に対する電流計測装置１の計測電流値の割合を、配線Ｑａの電流使用率Ｒとして計算する。また、電流使用率計算部２６は、配線Ｑの定格電流値に対する電流計測装置１Ａの計測電流値の割合を、配線Ｑの電流使用率ＲＡとして計算する。
【００４５】
表示制御部２４は、電流使用率Ｒ及びＲＡのうち、高い値の方の電流使用率に応じて、表示部２５が面発光するように表示部２５を制御する。表示制御部２４は、例えば、電流使用率Ｒ，ＲＡのいずれかが所定値Ｓを超えた場合に、表示部２５の視認性が高くなるように、表示部２５を制御する。
【００４６】
第３実施形態に係る配線容量表示システムによれば、コンセントカバー４の周縁部４１が電流使用率Ｒに応じて発光するので、ユーザが、電流使用率Ｒ，ＲＡの上昇、即ち配線Ｑａ，Ｑの残り容量の低下を容易に把握することができる。
【００４７】
また、第３実施形態に係る配線容量表示システムによれば、分岐ブレーカ５２ａ〜５２ｃが定格電流値以下の条件下で主幹ブレーカ５１の遮断の恐れがある場合であっても、配線Ｑの電流使用率ＲＡを容易に把握できる。
【００４８】
（その他の実施形態）
上記のように、本発明を第１〜第３実施形態によって記載したが、この開示の一部をなす論述及び図面は本発明を限定するものであると理解すべきではない。この開示から当業者には様々な代替実施形態、実施例及び運用技術が明らかとなろう。
【００４９】
例えば、既に述べた第１〜第３実施形態において、表示部２５は、図９に示すように、コンセントカバー４の周縁部４１として、外側面４２にも形成されるようにしてもよい。表示部２５は、外側面４２を含む周縁部４１に形成されることにより、斜めの位置からであっても発光を視認しやすくなる。
【００５０】
また、既に述べた第１〜第３実施形態において、表示制御部２４は、コンセントカバー４の色に応じて表示部２５を変色させ、リープマン効果により視認性を高くするようにしてもよい。
【００５１】
上記の他、本発明の実施形態及び変形例を相互に応用した構成等、本発明はここでは記載していない様々な実施形態等を含むことは勿論である。したがって、本発明の技術的範囲は上記の説明から妥当な特許請求の範囲に係る発明特定事項によってのみ定められるものである。
【符号の説明】
【００５２】
Ｑａ〜Ｑｃ，Ｑ  配線
Ｒ，ＲＡ  電流使用率（割合）
Ｓ  所定値
１，１ａ〜１ｃ，１Ａ  電流計測装置
３  コンセント
４  コンセントカバー
１５  電流計測部
２４  表示制御部
２５  表示部
５１  主幹ブレーカ
５２  分岐ブレーカ
５２ａ〜５２ｃ  分岐ブレーカ
【図１】
2015076912.tif 000003
【図２】
2015076912.tif 000004
【図３】
2015076912.tif 000005
【図４】
2015076912.tif 000006
【図５】
2015076912.tif 000007
【図６】
2015076912.tif 000008
【図７】
2015076912.tif 000009
【図８】
2015076912.tif 000010
【図９】
2015076912.tif 000011